(57)【要約】【課題】複数本のチューブ体を容易に識別可能なように構成して、チューブ体の誤接続を極力防止する。【解決手段】本発明の洗濯機は、洗濯及び脱水を行う洗濯脱水槽１７と、この洗濯脱水槽１７を収容する水槽１０と、給水弁２２や水位検知手段等の複数の構成部品とを備えてなるものにおいて、複数の構成部品を接続する複数のチューブ体３９〜４４を備えると共に、これら複数のチューブ体３９〜４４を使用部位に応じて色分けするように構成したものである。この構成によれば、複数本のチューブ体３９〜４４を色により容易に識別できる。【選択図】図３
2008132009.tif 000002
【特許請求の範囲】
【請求項１】
洗濯及び脱水を行う洗濯脱水槽と、この洗濯脱水槽を収容する水槽と、給水弁や水位検知手段等の複数の構成部品とを備えてなる洗濯機において、
前記複数の構成部品を接続する複数のチューブ体を備えると共に、
前記複数のチューブ体を使用部位に応じて色分けするように構成したことを特徴とする洗濯機。
【請求項２】
複数のチューブ体を色分けするに際して、エアを通すチューブ体は暖色系の色とし、水を通すチューブ体は寒色系の色とするように構成したことを特徴とする請求項１記載の洗濯機。
【発明の詳細な説明】
【技術分野】
【０００１】
本発明は、注水ケース（給水弁）と水槽の間を接続するチューブ体や、水槽と水位検知手段の間を接続するチューブ体等を備えた洗濯機に関する。
【背景技術】
【０００２】
この種の洗濯機の一例として、特許文献１に記載された構成が知られている。この構成では、注水ケース（給水弁）と水槽との間をチューブ体で接続し、水槽と水位センサ（水位検知手段）との間をチューブ体で接続し、熱交換器に連通されたエアトラップと圧力センサ（泡検知手段）との間をチューブ体で接続している他、更に数本のチューブ体で複数の構成部品を接続している。
【特許文献１】特開２００２−２１０２８９号公報
【発明の開示】
【発明が解決しようとする課題】
【０００３】
従来構成の洗濯機の場合、複数本のチューブ体は、同一色のチューブであったため、組み立て時に異なる部品にチューブ体を接続してしまうおそれ、即ち、誤接続するおそれがあった。特に、サービス時、即ち、修理を行うときには、修理作業者がチューブ体を誤接続してしまうことにより、不具合が生ずる可能性が有った。
【０００４】
そこで、本発明の目的は、複数本のチューブ体を容易に識別できるようにして、チューブ体の誤接続を極力防止できる洗濯機を提供するにある。
【課題を解決するための手段】
【０００５】
本発明の洗濯機は、洗濯及び脱水を行う洗濯脱水槽と、この洗濯脱水槽を収容する水槽と、給水弁や水位検知手段等の複数の構成部品とを備えてなるものにおいて、前記複数の構成部品を接続する複数のチューブ体を備えると共に、前記複数のチューブ体を使用部位に応じて色分けするように構成したところに特徴を有する。
【発明の効果】
【０００６】
本発明は、複数の構成部品を接続する複数のチューブ体を使用部位に応じて色分けするように構成したので、複数本のチューブ体を色により容易に識別できることから、チューブ体の誤接続を極力防止できるという効果を奏する。
【発明を実施するための最良の形態】
【０００７】
以下、本発明をドラム式洗濯乾燥機に適用した一実施例について、図面を参照しながら説明する。まず、図１は本実施例のドラム式洗濯乾燥機の全体構成を示す斜視図である。この図１に示すように、ドラム式洗濯乾燥機の外箱１は、底板２と前板３と左側板４と右側板５と後板６（図２参照）と天板７を相互に箱状に接合して構成されている。
【０００８】
外箱１の前板３には、図２に示すように、円形状の開口部８が形成されている。この外箱１の前板３には、図１に示すように、上記開口部８を開閉するように円形状のドア９が垂直な軸を中心に回動可能に装着されている。
【０００９】
外箱１の内部には、図２に示すように、水槽１０が収納されている。この水槽１０は、底板（台板）２上に複数のサスペンション１１を介して支持されている。上記水槽１０は、後面が閉鎖された有底な円筒状をなすものであり、軸心線が前から後へ向って下降する前上がりの傾斜状態に配置されている。水槽１０の前端部には、水槽１０を取囲む円環状の水槽カバー１０ａが固定されている。
【００１０】
この水槽カバー１０ａは開口部８の後方に配置されたものであり、水槽カバー１０ａには円筒状をなすベロー１２の後端部が固定されている。このベロー１２は、ゴムを材料に形成されたものであり、ベロー１２の前端部は前板３の開口部８の内周面に固定されている。
【００１１】
水槽１０の後面には、図２に示すように、ドラムモータ１３のステータ１４が固定されている。このドラムモータ１３は、ステータ１４の外周部にロータ１５が回転可能に配置されたアウタロータ形のものであり、速度制御可能なＤＣブラシレスモータから構成されている。
【００１２】
このドラムモータ１３は洗濯モータに相当するものであり、ドラムモータ１３のロータ１５には回転軸１６が回転不能に固定されている。この回転軸１６は水槽１０の軸心線に沿って水槽１０の内部に突出するものであり、回転軸１６にはドラム１７が回転不能に固定されている。このドラム１７は、後面が閉鎖された有底な円筒状をなすものであり、水槽１０の内部に水槽１０に対して同心状に且つ回転可能に収納されている。このドラム１７は、ドラムモータ１３が駆動することに基づいてドラムモータ１３の回転軸１６と一体的に回転するものである。ドラム１７には、空気および水が流通可能な多数の流通孔１８が形成されている。このドラム１７は、洗濯脱水槽に相当するものである。
【００１３】
ドラム１７の前面には、図２に示すように、円形状の開口部１９が前板３の開口部８の後方に対向配置されるように形成されている。衣類はドア９の開放状態で開口部８から開口部１９を順に通してドラム１７の内部に投入され、ドア９の開放状態でドラム１７の内部から開口部１９および開口部８を順に通して取出される。このドラム１７の内周面には突状をなす複数のバッフル２０が固定されている。
【００１４】
さて、外箱１の内部の上部には、図２に示すように、洗剤投入ケース２１と給水弁２２とを収容する注水ケース２３が配設されている。給水弁２２の入力ポート２２ａ（図１参照）は水道の蛇口に接続されており、給水弁２２の出力ポートは洗剤投入ケース２１を介して水槽１０の内部空間に接続されている。水槽１０の内部には、給水弁２２が開放されることにより、水道の蛇口から給水弁２２、洗剤投入ケース２１、注水ケース２３を順に通して水道水が注入される。水槽１０の下部には、図２に示すように、排水ホース２４が接続されており、排水ホース２４には排水弁２５が設けられている。
【００１５】
水槽１０の上部には、図２に示すように、ファンユニット２６と、ヒータユニット２７と、ダクト２８とが配設されている。ファンユニット２６は、ファンケーシング２９と、このファンケーシング２９内に設けられたファン３０と、このファン３０を回転駆動するファンモータ３１とから構成されている。ヒータユニット２７は、アルミダイキャスト製のヒータケース３２と、このヒータケース３２内に設けられたヒータ３３とから構成されている。ファンユニット２６及びヒータユニット２７により生成された温風は、ダクト２８を通って水槽１０内にその前部から供給されるように構成されている。
【００１６】
そして、水槽１０内に供給された温風は、ドラム１７内の衣類を通り、水槽１０の背面下部より、水槽１０の背面に設けられた水冷式の熱交換器３４内へ送られる構成となっている。熱交換器３４内においては、水槽１０から送風された多湿の温風は、給水弁２２から分岐されて供給された水によって熱交換が行われることにより冷却されて除湿される。この除湿された空気は、ファンユニット２６のファンケーシング２９内へ送られて、上述した送風経路を循環するように構成されている。即ち、上記除湿された空気は、ヒータユニット２７の内部でヒータ３３によって加熱されることにより温風化され、ドラム１７内の洗濯物に高温低湿な乾燥風として吹き付けられる。
【００１７】
この構成の場合、ファンユニット２６、ヒータユニット２７、ダクト２８、水槽１０（ドラム１７）、熱交換器３４から、循環経路３５が構成されている。また、ファンユニット２６、ヒータユニット２７、熱交換器３４が乾燥手段を構成している。尚、水槽１０の背面には、乾燥時間の短縮を図るために、湿気を多く含んだ空気を水槽１０外へ排出するための排気ジョイントと排気パイプ（いずれも図示しない）が設けられている。
【００１８】
また、外箱１の前板３の上部には、図１に示すように、横長形状の操作パネル３６が配設されている。この操作パネル３６には、各種のスイッチ３７や表示装置３８が設けられている。
【００１９】
ここで、本実施例のドラム式洗濯乾燥機の複数の構成部品である水槽１０、注水ケース２３（給水弁２２）、水位センサ（図示しない）、熱交換器３４、圧力センサ（図示しない）等の各間を接続する複数例えば６本のチューブ体３９〜４４について、図３を参照して説明する。各チューブ体３９〜４４は、例えば塩化ビニール製のチューブであり、成形時に６色の色に着色されることにより、使用部位に応じて色分けされている。
【００２０】
具体的には、図３に示すように、第１のチューブ体３９は、例えば赤色のチューブ体であり、熱交換器３４と水槽カバー１０ａとの間を接続している。この第１のチューブ体３９の図３中の左端部は、熱交換器３４の上部に設けられた接続部３４ａに接続され、第１のチューブ体３９の図３中の右端部は、水槽カバー１０ａの下部に設けられた接続部１０ｂに接続されている。水槽カバー１０ａから第１のチューブ体３９を通して熱交換器３４内に注水することにより、熱交換器３４内に進入してきた泡を消すように構成されている。即ち、第１のチューブ体３９は、泡消し用のチューブ体である。
【００２１】
第２のチューブ体４０は、例えば桃色のチューブ体であり、注水ケース２３と熱交換器３４との間を接続している。この第２のチューブ体４０の図３中の上端部は、注水ケース２３に設けられた図示しない接続部（これは冷却除湿用の水道水を供給する供給口である）に接続され、第２のチューブ体４０の図３中の下端部は、熱交換器３４の上部に設けられた接続部３４ｂに接続されている。冷却除湿用の水道水を注水ケース２３から第２のチューブ体４０を通して熱交換器３４内に注水することにより、熱交換器３４内において、ドラム１７から熱交換器３４へ送出された高温多湿の空気の冷却除湿が実行されるように構成されている。即ち、第２のチューブ体４０は、除湿用のチューブ体である。
【００２２】
第３のチューブ体４１は、例えば青色のチューブ体であり、上記第２のチューブ体４０の下端部分から分岐している。この第３のチューブ体４１の図３中の下端部は、熱交換器３４に設けられた泡検知用のエアトラップ４５の上部に設けられた接続部４５ａに接続されている。この構成の場合、第２のチューブ体４０を通して熱交換器３４内に注水するときに、同時に第３のチューブ体４１を通してエアトラップ４５内に注水されるように構成されている。上記エアトラップ４５内への注水によって、エアトラップ４５内が洗浄される。
【００２３】
この洗浄により、乾燥時にドラム１７内に舞い上がった糸屑（リント）が水槽１０を通して熱交換器３４内部やエアトラップ４５内部に侵入して通気を悪化させることが原因で発生する泡検知センサの誤作動を防ぐ効果が得られる。即ち、第３のチューブ体４１は、糸屑洗浄用のチューブ体である。
【００２４】
第４のチューブ体４２は、例えば茶色のチューブ体であり、エアトラップ４５と注水ケース２３に配設された泡検知用の圧力センサ（図示しない）との間を接続している。この第４のチューブ体４２の図３中の上端部は、上記泡検知用の圧力センサに接続され、第４のチューブ体４２の図３中の下端部は、エアトラップ４５の上部に設けられた接続部４５ｂに接続されている。
【００２５】
この構成の場合、ドラム１７内で発生した泡が、水槽１０、熱交換器３４を通ってエアトラップ４５に至り空気圧を上昇させることを、第４のチューブ体４２を通して上記圧力センサで検知することに基づいて泡の発生を判断している。即ち、第４のチューブ体４２は、泡検知用のチューブ体（エアチューブ）である。尚、泡の発生を検知した場合、ドラム１７内の水位を低下させたり、ドラム１７の回転数を低下させたりする対策を実行して、泡を減少させるようにしている。
【００２６】
第５のチューブ体４３は、例えば橙色のチューブ体であり、水槽１０と注水ケース２３に配設された水位センサ（図示しない）との間を接続している。この第５のチューブ体４３の図３中の上端部は、上記水位センサに接続され、第５のチューブ体４３の中間部分は、熱交換器３４の側面部に沿って下方へ配置され、第５のチューブ体４３の図３中の下端部は、水槽１０の背面部の下部に接続されている。
【００２７】
この構成の場合、上記水位センサは、圧力センサで構成されており、水槽１０内の水位を空気圧により検知している。即ち、第５のチューブ体４３は、水位検知用のチューブ体（エアチューブ）である。
【００２８】
第６のチューブ体４４は、例えば乳白色のチューブ体であり、注水ケース２３と水槽カバー１０ａとの間を接続している。この第６のチューブ体４４の図３中の上端部は、注水ケース２３に設けられた図示しない接続部（これはドア９のガラス窓の内面の泡消し用の水道水を供給する供給口である）に接続され、第６のチューブ体４４の下端部は、水槽カバー１０ａの上部に設けられた接続部に接続されている。
【００２９】
この構成の場合、泡消し用の水道水を注水ケース２３から第６のチューブ体４４を通して水槽カバー１０ａ内に注水することにより、ドア９のガラス窓の内面に注水して該内面に付着した泡を消すように構成されている。即ち、第６のチューブ体４４は、泡消し（ドア洗浄）用のチューブ体である。
【００３０】
このような構成の本実施例によれば、複数の構成部品（水槽１０、注水ケース２３（給水弁２２）、水位センサ、熱交換器３４、圧力センサ）を接続する複数例えば６本のチューブ体３９〜４４を使用部位に応じて色分けする、具体的には、６色の異なる色のチューブ体とするように構成したので、６本のチューブ体３９〜４４の各々を色により容易に識別することができる。
【００３１】
これにより、組み立て時に、各チューブ体３９〜４４をどの構成部品に接続するのかの判断が容易になることから、接続作業性が向上し、各チューブ体３９〜４４の誤接続を極力防止することができる。また、６本のチューブ体３９〜４４を組み付けて（接続して）束ねた後においても、各チューブ体３９〜４４の識別が容易であるので、サービス（製品修理）時にも、作業性の向上を図ることができると共に、誤組み付けを防止することができる。
【００３２】
尚、上記実施例においては、６本のチューブ体３９〜４４を全て異なる色となるように色分けしたが、これに限られるものではなく、同じ色のチューブ体が存在するように構成しても良い。また、エアを通すチューブ体を暖色系の色（例えば黄、橙、赤、それらの中間色等）とし、水を通すチューブ体を寒色系の色（例えば青、緑、紫、それらの中間色等）とするように構成しても良い。このように構成すると、チューブ体の色によって、エアチューブであるか、水を通すチューブ（注水チューブ）であるかを容易に認識することができる。
【００３３】
更に、上記実施例において、チューブ体を接続する構成部品の接続部位の近傍に、チューブ体と同じ色を着色するように構成しても良い。このように構成すると、接続作業性が一層向上する。この構成の場合、構成部品の接続部位の近傍に、チューブ体と同じ色を着色するに際して、チューブ体と同じ色のカラーテープを貼り付ける（テーピング）ように構成しても良い。
【００３４】
更にまた、チューブ体を接続する構成部品の接続部位の近傍に、チューブ体の色やチューブ体の機能等を示す文字や記号や絵柄等をマーキングするように構成しても良い。
また、上記実施例においては、各チューブ体３９〜４４を色分けするに際して、チューブ体全体に色をつけるように構成したが、チューブ体の一部分、例えば両端部（構成部品に接続する部分）だけを着色するように構成しても良い。この場合、チューブ体の端部を着色するに当たっては、該端部にカラーテープを貼り付ける（テーピング）ように構成しても良い。
【００３５】
更に、上記実施例や上記した各変形例において、チューブ体の端部、即ち、構成部品に接続する部分に、接続先の構成部品の名称や機能等を示す文字や記号や絵柄等をマーキングするように構成しても良い。
【００３６】
また、上記実施例においては、ドラム式洗濯乾燥機に適用したが、これに限られるものではなく、縦軸形の回転槽を有する脱水兼用洗濯機（全自動洗濯機）や脱水兼用洗濯乾燥機等に適用しても良い。
【図面の簡単な説明】
【００３７】
【図１】本発明の一実施例を示すドラム式洗濯乾燥機の斜視図
【図２】ドラム式洗濯乾燥機の縦断側面図
【図３】水槽の斜視図
【符号の説明】
【００３８】
図面中、１は外箱、２は底板、３は前板、８は開口部、９はドア、１０は水槽、１０ａは水槽カバー、１３はドラムモータ、７はドラム（洗濯脱水槽）、２２は給水弁、２３は注水ケース、２６はファンユニット、２７はヒータユニット、３４は熱交換器、３５は循環経路、３９は第１のチューブ体、４０は第２のチューブ体、４１は第３のチューブ体、４２は第４のチューブ体、４３は第５のチューブ体、４４は第６のチューブ体を示す。
【図１】
2008132009.tif 000003
【図２】
2008132009.tif 000004
【図３】
2008132009.tif 000005